(57)【要約】      （修正有）【課題】工具を使わずに着脱可能な絶縁体を有するプラグ式コネクターの提供。【解決手段】接触子５を備えた絶縁体４が配置された管状ハウジング部３を有し、接触子５が円周状に挿入された少なくとも１つの接触子担体８、及び接触子５を保持して接触子担体８に対して摺動する外被９を備えている。組み立てられた絶縁体４はプラグ式コネクター１の差込側から管状ハウジング部３へと軸方向に案内され、接触子担体８は外被９と着脱可能に係止され且つ外被９は管状ハウジング部３に着脱可能に固定されている。プラグ式コネクター１は、外被９は差込部からは離れたその後端１９に軸方向に配置されたバネ片を備え、少なくとも１つの第一のバネ片は管状ハウジング部３に向かって外方に突出する円周状の係止部材を備え、少なくとも１つの第二のバネ片は接触子担体８に向かって内方へ突出する円周状の係止部材を備えている。【選択図】図１
2010165678.tif 000002
【特許請求の範囲】
【請求項１】
接触子（５）を備えた複数の部品により構成される絶縁体（４）が配置された管状ハウジング部（３）を有し、
絶縁体（４）は、プラグ式コネクター（１）の差込側から管状ハウジング部（３）へと軸方向に案内される接触子（５）が円周状に挿入された少なくとも１つの接触子担体（８）、及び接触子（５）を保持して接触子担体（８）に対して摺動する外被（９）を備え、
接触子担体（８）は外被（９）と着脱可能に係止され且つ外被（９）は管状ハウジング部（３）に着脱可能に固定され、
外被（９）は差込部からは離れたその後端（１９）に軸方向に配置されたバネ片（１２、１４）を備え、
少なくとも１つの第一のバネ片（１２）は管状ハウジング部（３）に向かって外方に突出する円周状の係止部材（１３）を備え、
少なくとも１つの第二のバネ片（１４）は接触子担体（８）に向かって内方へ突出する円周状の係止部材（１５）を備えていることを特徴とするプラグ式コネクター。
【請求項２】
管状ハウジング部（３）に差込まれた絶縁体（４）内の第二のバネ片（１４）は管状ハウジング部（３）を内方から支えていることを特徴とする請求項１に記載のプラグ式コネクター。
【請求項３】
接触子担体（８）は、外方に突出した係止部材（１３）を管状ハウジング部（３）から解放させる空隙部（２０）を第一のバネ片（１２）に対応して備えていることを特徴とする請求項１又は請求項２に記載のプラグ式コネクター。
【請求項４】
外被（９）の後端（１９）を囲んでいる管状ハウジング部（３）の第一のバネ片（１２）に対応する部分に、第一のバネ片（１２）を操作し易くする切欠部（２１）が備えられていること特徴とする請求項３に記載のプラグ式コネクター。
【請求項５】
切欠部（２１）は、補助具を用いずに第一のバネ片（１２）を接触子担体（８）の方向へ押圧できる大きさを有していることを特徴とする請求項４に記載のプラグ式コネクター。
【請求項６】
第二のバネ片（１４）の係止部材（１５）は係止方向及び解放方向へ傾斜した傾斜面（１６、１６′）を備えていることを特徴とする請求項１に記載のプラグ式コネクター。
【発明の詳細な説明】
【技術分野】
【０００１】
本発明は、接触子を備えた複数の部品により構成される絶縁体が配置された管状ハウジング部を前端に有し、絶縁体はプラグ式コネクターの差込側から管状ハウジング部へと軸方向に案内された接触子が円周状に挿入された少なくとも１つの接触子担体及び接触子を保持し接触子担体に対して摺動する外被を備え、接触子担体は外被と着脱可能に係止され且つ外被は該ハウジングに着脱可能に固定されたプラグ式コネクターに関する。
【背景技術】
【０００２】
このような円形状のプラグ式コネクターは特許文献１に開示されている。このプラグ式コネクターでは、多数の部材で構成される接触子担体が、所定の極性に対応するホルダーに接触子を受容している。該ホルダーは、プラグ式コネクターのハウジングに遊び無く装着されている。接触子担体は、周囲に接触子と入り組んで配置された複数の端子保持部材を備えたホルダー及びホルダーと軸方向において嵌合している上端のハウジングから構成されている。ホルダーは、円周状に配置された接触子を受容するブリッジにより連結された多数の端子保持部材を備えている。円筒状の内面を有する絶縁された接触子担体のハウジングは、接触子を端子保持部材内に閉じ込め、該ハウジングと接触子担体は係止部材を介して噛合って相互の固定並びに解放が可能である。接触子担体はハウジング内において接触子担体ハウジングと着脱可能に固定されている。
【０００３】
従来の円形状のプラグ式コネネクターでは組立て及び分解に時間を要することが問題である。このコネクターでは、ハウジングからの複数の接触子担体の取外し並びに接触子担体のハウジングからホルダーの取外しに工具が必要であり、コスト増となる。
【先行技術文献】
【特許文献】
【０００４】
【特許文献１】欧州出願公開第１６２８３６７Ａ１号明細書
【発明の概要】
【発明が解決しようとする課題】
【０００５】
本発明は、上記の問題点を解決するために、相互に係止合う接触子担体と管状ハウジング部の提案並びに改善されたプラグ式コネクターの組立て及び取外しを提案することを目的とする。
【課題を解決するための手段】
【０００６】
上記課題は、下記（１）〜（６）の構成を備えたプラグ式コネクターにより解決される。
【０００７】
（１）接触子を備えた複数の部品により構成される絶縁体が配置された管状ハウジング部を有し、前記絶縁体は、プラグ式コネクターの差込側から前記管状ハウジング部へと軸方向に案内される前記接触子が円周状に挿入された少なくとも１つの接触子担体、及び前記接触子を保持して前記接触子担体に対して摺動する外被を備え、前記接触子担体は前記外被と着脱可能に係止され且つ前記外被は前記管状ハウジング部に着脱可能に固定され、前記外被は差込部からは離れたその後端に軸方向に配置されたバネ片を備え、少なくとも１つの第一のバネ片は前記管状ハウジング部に向かって外方に突出する円周状の係止部材を備え、少なくとも１つの第二のバネ片は前記接触子担体に向かって内方へ突出する円周状の係止部材を備えていることを特徴とするプラグ式コネクター。
【０００８】
（２）前記管状ハウジング部に差込まれた前記絶縁体内の前記第二のバネ片は前記管状ハウジング部を内方から支えていることを特徴とする前記（１）に記載のプラグ式コネクター。
【０００９】
（３）前記接触子担体は、外方に突出した前記係止部材を前記管状ハウジング部から解放させる空隙部を前記第一のバネ片に対応して備えていることを特徴とする前記（１）又は（２）に記載のプラグ式コネクター。
【００１０】
（４）前記外被の前記後端を囲んでいる前記管状ハウジング部の前記第一のバネ片に対応する部分に、前記第一のバネ片を操作し易くする切欠部が備えられていること特徴とする前記（３）に記載のプラグ式コネクター。
【００１１】
（５）前記切欠部は、補助具を用いずに前記第一のバネ片を前記接触子担体の方向へ押圧できる大きさを有していることを特徴とする前記（４）に記載のプラグ式コネクター。
【００１２】
（６）前記第二のバネ片の前記係止部材は係止方向及び解放方向へ傾斜した傾斜面を備えていることを特徴とする前記（１）に記載のプラグ式コネクター。
【発明の効果】
【００１３】
本発明によるプラグ式コネクターでは、コネクターの組立て、解放に工具を必要とせず、しかも短時間でできるためコストが大きく下げられ、用途を大幅に広げることが可能となった。
【図面の簡単な説明】
【００１４】
【図１】本発明によるプラグ式コネクターの分解斜視図
【図２】図１に示される絶縁体の分解斜視図
【図３】本発明による組み立てたプラグ式コネクターの中心軸に沿った第二のバネ片１４を含む第一の縦断面図
【図４】本発明による組み立てたプラグ式コネクターの中心軸に沿った第一のバネ片１２を含む第二の縦断面図
【発明を実施するための形態】
【００１５】
本発明によるプラグ式コネクターは、差込側の反対の後端に軸方向に伸張したバネ片が配置された外被を備え、該バネ片の少なくとも１つは管状ハウジング部へと円周方向に外側へ突出した係止部材を備えた第一のバネ片であり且つ少なくとも１つは接触子担体方向に内側に突出した係止部材を備えた第二のバネ片である。
【００１６】
第二のバネ片は、接触子担体が外被内へ挿入された後に、接触子担体が外被に係止されるため供される。最終的には、第二のバネ片の係止部材により接触子担体が外被と自動的に係止された状態となる。内側に突出した係止部材が、プラグ式コネクターの差込側と反対の後端と嵌合することにより係止され、接触子担体の前端は外被により軸方向に支えられている。
【００１７】
このように予め組み立てられた絶縁体は、管状ハウジング部をプラグ式コネクターの差込側から逆の側へと軸方向に差込まれ、第一のバネ片は絶縁体が管状ハウジング部に差込まれて軸方向に固定されるために供される。絶縁体が管状ハウジング部に完全に受容された場合には、第一のバネ片の外側へ突き出した係止部材は、管状ハウジング部に形成された補完的な凹部に嵌合されて絶縁体の接触子担体の外被は管状ハウジング部に自動的に係止される。
【００１８】
２つの第一及び第二のバネ片の少なくとも１つが外被の後端に対称に配置されることが好ましい。これにより、接触子担体と外被、並びに絶縁体とプラグ式コネクターの管状ハウジング部の前端は正確に同軸に配置されることになる。
【００１９】
絶縁体をプラグ式コネクターの管状ハウジング部へ差込む際に、接触子に固定された導線と接触子担体の連結が不意に解けないように、接触子担体とその外被とを係止する。この係止により、接触子担体の外被からの不意の脱落を防止し、絶縁体の取り付けを確実なものとする。管状ハウジング部内の外被を固定することにより、軸方向への動きが封ぜられる。これにより、接触子担体と外被とがしっかりと係止されるので、絶縁体の外被と接触子担体との係止が解放され難くなる。第一のバネ片を絶縁体の方向へと内方に曲げると、絶縁体が管状ハウジング部から解放されるので、外被の外側に向かう係止部材と管状ハウジング部の係止用凹部との嵌合が外れる。このようにして、管状ハウジング部、外被及び接触子担体の不意の解放が完全に防止できる。
【００２０】
接触子担体と外被の間の係止により、絶縁体と管状ハウジング部との係止が解放されないことが特徴である。これにより、プラグ式コネクターを規定通りに使えば、機能及び人的安全が保証される。このために、第二のバネ片により管状ハウジング部に差込まれた絶縁体が管状ハウジング部内に支えられるようにすることが好ましい。第二のバネ片の管状ハウジング部に向かっての曲がりが確実に防止されるので、絶縁体の係止は意図せずには解放されない。接触子担体を外被から取外すには、先ず絶縁体を外被から取外す必要がある。
【００２１】
本発明による好適な実施例においては、接触子担体には、第一のバネ片の外側に突出した係止部材を管状ハウジング部から解放できるように第一のバネ片に対応した空隙部が備えられている。このようにして、大きな力を加えずに外被の第一のバネ片を接触子担体の方向へと内方」に押して、絶縁体と管状ハウジング部の間の係止を解放できる。係止を解放した後に、絶縁体を差込とは逆の方向に取り外すことができる。第一のバネ片の感度あるいは性能は管状ハウジング部の直径及びプラグ式コネクターの差込側に対応した接触子担体の側面に対する第一のバネ片の突出度に依存する。そのため、単に１つの工具又は工具を使わずに操作することも可能となる。
【００２２】
別の実施例では、第一のバネ片が簡単に操作できるように管状ハウジング部の後端の第一のバネ片に対応する部分に切欠部を備えている。切欠部は、工具を使わず指で第一のバネ片を接触子担体の方向に押すことができるような寸法であることが好ましい。これにより、第一のバネ片を簡単に操作して絶縁体を管状ハウジング部から分離することが可能となる。
【００２３】
更に別の実施例では、第二のバネ片の内側に突出した係止部材は係止方向及び解放方向へ傾斜した傾斜面を備えている。そのため、第二のバネ片の剛性によっては、接触子担体を軸方向に押したり引いたりして、接触子担体の外被との係止、解放を自動的に行うことができる。第二のバネ片を外方に押すことができるので、絶縁体のみの管状ハウジング部との係止、解放が可能となる。
【００２４】
以下、図面を用いて本発明の特徴及び長所を説明するが、図面に示された実施例に限定されるものではない。
【実施例】
【００２５】
本発明による実施例では、フランジ形状のハウジングを有するプラグ式コネクターを図示しているが、このようなフランジに限定されるものではない。むしろ、本発明によるプラグ式コネクターのハウジングには、その一端に固定していない導線を備えてもよい。任意の外郭が形成されたハウジングには、絶縁体を受容するためにその前端部に管状ハウジング部を備えることが必要である。
【００２６】
図１は、フランジ形状のハウジング付コネクターとして形成されたプラグ式コネクター１を示す。プラグ式コネクター１は、管状ハウジング部３を有するフランジ状ハウジング２を備え、その管状ハウジング部には複数の接触子５を有する複数の部品から構成される絶縁体４が配置されている。絶縁体４及び管状ハウジング部３は円筒状に形成されている。不図示の連結用ハウジングにプラグ式コネクターを固定できるように、フランジ状ハウジング２には孔７を有する方形の固定板６が備えられている。絶縁体４は、互いに平行に円周状に複数の接触子５が差込まれている接触子担体８並びに接触子担体８を囲み且つ接触子５を絶縁体４内に安定に閉じ込める外被９を含んで構成されている。
【００２７】
管状ハウジング部３に対して絶縁体４を気密に保つように、外被９のほぼ中間部にＯ−リン１０が備えられている。更に、外被９の外周には軸方向に沿って絶縁体４を管状ハウジング部３内へと案内するための係止部材１１が形成されている。その係止部材に対応して、管状ハウジング部３には溝１１′が形成されている。
【００２８】
図２は、図１の絶縁体４を分解した状態の斜視図である。この図には、接触子担体８に円周状に差込まれた接触子５並びに外被９の絶縁体４の差込部からは離れた端部１９（図１参照）の裏側に、外方への係止部材１３を有する２つの第一のバネ片１２及び内方への係止部材１５を有する２つの第二のバネ片１４が示されている。バネ片１２及び１４は、絶縁体４の軸方向へと伸張しており、第一のバネ片１２の係止部材１３は、絶縁体４へ円周状に突出しており、第二のバネ片１４の係止部材１５は接触子担体８へ円周状に突出している。内方への係止部材１５は接触子担体８を外被９に係止し、また、外方への係止部材１３は外被９を管状ハウジング部３に係止するために備えられている。
【００２９】
組み立てたプラグ式コネクター１の中心軸に沿った第二のバネ片１４を含む第一の縦断面図である図３に示されるように、外被９はフランジ状ハウジング２へと差込まれる接触子担体８を支えるカラー状の狭部２２を備えている。更に、絶縁体４の外被９が管状ハウジング部３の内部へ案内されて固定されるように、管状ハウジング部３の内部に傾斜部２３が備えられている。狭部２２によって接触子担体８の軸方向の位置が決められ、傾斜部２３により絶縁体４の軸方向の位置が決められる。この場合、第二のバネ片１４は、管状ハウジング部３内に案内された絶縁体４に適合し、そこで円周方向に支えられ、また、接触子担体８はその後端１７において、内方への係止部材１５と噛合っている。従って、絶縁体４が管状ハウジング部３内に収納されている限り、接触子担体８は外被９から外れない。
【００３０】
接触子担体８をプラグ式コネクター１へ抜き差しして係止及び取外しできるように、第二のバネ片１４の係止部材１５は、正逆の傾斜面１６、１６′を備えている。管状ハウジング部３外において被９内へ接触子担体８を差込む際には、正の傾斜面１６により接触子担体８が外被９と自動的に係止される。絶縁体４が管状ハウジング部３内に装着されていない状態において、接触子担体８をフランジ状ハウジング２への差込みとは逆に、絶縁体４の軸方向に外被９から引き抜くと直ちに逆の傾斜面１６′が、接触子担体８を外被９から解放するように作用する。
【００３１】
組み立てたプラグ式コネクターの中心軸にそった第一のバネ片１２を含む第二の縦断面図である図４から判るように、第一のバネ片１２は径方向において外方に向かうバネ力を備えているので、接触子担体８が補完的に形成された外被９へと差込まれると、バネ片１２の外方への係止部材１３は管状ハウジング部３の後端１９に配置された凹部１８と嵌合する。第二のバネ片１２を径方向に内方へ押圧することにより、係止状態が解放される。このために、バネ片１２と向かい合った外被９の後端１９に空隙部２０が備えられてバネ片１２が復元するように構成されている。
【００３２】
管状ハウジング部３から絶縁体４を解放に際して、第一のバネ片１２が作動し易くなるように、後端１９を取り囲む管状ハウジング部３のバネ片１２に対応する領域に、第一のバネ片１２を径方向に外方から内方へと操作可能なように切欠部２１を備えている。図１のフランジ付ハウジング２に示され切欠部２１の方が、図４よりも明瞭である。この切欠部は、補助具を使わずに絶縁体４がフランジ付ハウジング２から解放できるような大きさを有している。２つの指で第一のバネ片１２を接触子担体８方向へ押すことにより、最初のバネ片１２の外方への係止部材１３は管状ハウジング部３の凹部１８から解放される。
【符号の説明】
【００３３】
１    プラグ式コネクター
２    フランジ状ハウジング
３    管状ハウジング部
４    絶縁体
５    接触子
６    固定板
７    孔
８    接触子担体
９    外被
１０  Ｏ−リング
１１  係止部材
１２  第一のバネ片
１３  係止部材
１４  第二のバネ片
１５  係止部材
１６、１６′  （正逆の）傾斜面
１７  （接触子担体の）後端
１８  凹部
１９  （外被の）後端
２０  空隙部
２１  切欠部
２２  狭部
２３  傾斜部
【図１】
2010165678.tif 000003
【図２】
2010165678.tif 000004
【図３】
2010165678.tif 000005
【図４】
2010165678.tif 000006